(57)【要約】【課題】調整用電気部品としてストッパ機構を持たない簡素な構造のものを使用できると共に、調整用電気部品の回転調整作業を効率良く行える電子回路モジュールを提供すること。【解決手段】回路基板１と、回路基板１の部品搭載面１ａに実装された各種チップ部品２や半固定可変抵抗器３と、回路基板１の部品搭載面１ａを覆うように取り付けられたカバー４とを備え、調整用治具８を半固定可変抵抗器３のロータ部７の係合溝７ａに係合させて該ロータ部７を回転させることによって、半固定可変抵抗器３の抵抗値を調整可能な電子回路モジュールにおいて、カバー４に治具挿入孔９の周縁から径方向内側へ突出するストッパ部１０を設け、治具挿入孔９に挿入した調整用治具８の回転方向の可動範囲が、該治具８に当接可能なストッパ部１０によって規定されるようにした。【選択図】図３
2009135135.tif 000002
【特許請求の範囲】
【請求項１】
基台にロータ部が回転可能に支持されていると共に、このロータ部の天面に係合部が設けられている調整用電気部品と、この調整用電気部品が部品搭載面に実装された回路基板と、前記係合部を露出させる治具挿入孔が開設されて前記回路基板の前記部品搭載面を覆うように取り付けられたカバーとを備え、前記治具挿入孔に挿入した調整用治具を前記係合部に係合させて前記ロータ部を回転させることによって前記調整用電気部品の出力値が調整可能な電子回路モジュールであって、
前記カバーに前記治具挿入孔の周縁部から径方向内側へ突出するストッパ部を設け、前記治具挿入孔に挿入した前記調整用治具の回転方向の可動範囲が、該調整用治具に当接可能な前記ストッパ部によって規定されるように構成したことを特徴とする電子回路モジュール。
【請求項２】
請求項１の記載において、前記ストッパ部が前記治具挿入孔内へ略三角形状に突出していることを特徴とする電子回路モジュール。
【請求項３】
請求項１または２の記載において、前記調整用電気部品が半固定可変抵抗器であることを特徴とする電子回路モジュール。
【発明の詳細な説明】
【技術分野】
【０００１】
本発明は、半固定可変抵抗器等の調整用電気部品を含む各種電気部品が実装された回路基板にカバーが取り付けられ、このカバーの治具挿入孔に調整用治具を挿入して調整用電気部品の出力値の調整が行えるようになっている電子回路モジュールに関する。
【背景技術】
【０００２】
この種の電子回路モジュールは、調整用電気部品の出力値（抵抗値や容量値など）を適宜変化させることによって、モジュール全体の電気特性を調整できるようになっている。例えば、調整用電気部品として抵抗値を可変な半固定可変抵抗器が組み込まれている従来公知の電子回路モジュールでは、回路基板上に実装された半固定可変抵抗器や他の電気部品をカバー（シールドカバー）で覆い、このカバーに半固定可変抵抗器のロータ部を露出させる円形の治具挿入孔が開設されている。そして、この治具挿入孔に挿入したドライバ等の調整用治具をロータ部に係合させて該ロータ部を回転調整することによって、半固定可変抵抗器の抵抗値を適宜変化させることができるため、その抵抗値に応じてモジュール全体の電気特性を調整できるようになっている（例えば、特許文献１参照）。
【特許文献１】特開２０００−０１１９２４号公報
【発明の開示】
【発明が解決しようとする課題】
【０００３】
ところで、前述した従来の電子回路モジュールにおいて、半固定可変抵抗器等の調整用電気部品の出力値を変化させる場合、カバーに設けられた円形の治具挿入孔に挿入した調整用治具を調整用電気部品のロータ部に係合させて該ロータ部の回転調整を行うため、ロータ部がエンドレスに回転可能なストッパ機構を持たない調整用電気部品を用いた場合、調整用治具も円形の治具挿入孔内でエンドレスに回転可能となる。それゆえ、調整用治具がロータ部を回し過ぎて適正な調整作業ができなくなるという問題があった。
【０００４】
一方、ロータ部の回転角度を規定するストッパ機構が付設された調整用電気部品も知られており、このようなストッパ機構を有する調整用電気部品を用いた場合には、ロータ部を回し過ぎるということがないため調整作業を効率良く行うことが可能となるが、ストッパ機構を付設することによって調整用電気部品の小型化や低コスト化が阻害されやすいという問題がある。しかも、調整用電気部品は比較的小型な部品なので、そのストッパ機構の機械的強度はさほど大きくなく、それゆえ調整用治具から付与される回転駆動力によって調整用電気部品のストッパ機構が破壊される虞もあった。
【０００５】
本発明は、このような従来技術の実情に鑑みてなされたものであり、その目的は、調整用電気部品としてストッパ機構を有さない簡素な構造のものを使用できると共に、調整用電気部品の回転調整作業を効率良く行える電子回路モジュールを提供することにある。
【課題を解決するための手段】
【０００６】
上記の目的を達成するため、本発明は、基台にロータ部が回転可能に支持されていると共に、このロータ部の天面に係合部が設けられている調整用電気部品と、この調整用電気部品が部品搭載面に実装された回路基板と、前記係合部を露出させる治具挿入孔が開設されて前記回路基板の前記部品搭載面を覆うように取り付けられたカバーとを備え、前記治具挿入孔に挿入した調整用治具を前記係合部に係合させて前記ロータ部を回転させることによって前記調整用電気部品の出力値が調整可能な電子回路モジュールにおいて、前記カバーに前記治具挿入孔の周縁部から径方向内側へ突出するストッパ部を設け、前記治具挿入孔に挿入した前記調整用治具の回転方向の可動範囲が、該調整用治具に当接可能な前記ストッパ部によって規定されるように構成した。
【０００７】
このように構成された電子回路モジュールでは、調整用電気部品のロータ部を回転調整する際に、カバーの治具挿入孔に挿入した調整用治具の回転方向の可動範囲が該カバーのストッパ部によって規定されるため、つまり調整用治具を所定の回転位置まで回すとストッパ部に当接してそれ以上は回せないようにしてあるため、調整用治具によって回転駆動されるロータ部も調整用治具と同じ角度範囲でしか回せなくなる。したがって、ストッパ機構を有さずロータ部がエンドレスに回転可能な調整用電気部品を用いた場合にも、該ロータ部の回転角度範囲がカバーのストッパ部で規定されることになって、該ロータ部の回転調整作業を効率良く行うことができる。この場合、調整用電気部品自体にストッパ機構を設ける必要がないため、調整用電気部品の小型化や低コスト化が図りやすくなる。また、ストッパ機構を有する調整用電気部品を用いた場合にも、調整用治具の回転駆動力が該ストッパ機構に及ばないように調整用治具の回転角度範囲を設定しておけば、該ストッパ機構が調整用治具によって破壊される虞がなくなる。なお、かかる調整用治具の回転角度範囲の設定は、ストッパ部の形状や形成位置を適宜選択することによって容易に変更可能である。
【０００８】
上記の構成において、カバーのストッパ部が治具挿入孔内へ略三角形状に突出していると、治具挿入孔に挿入した調整用治具の回転角度範囲を大きく設定することが容易となり、かつストッパ部の機械的強度も確保しやすくなるため好ましい。この場合、調整用電気部品のロータ部を大きく回転させることができるため、調整幅に余裕のある回転調整が行えるようになる。
【発明の効果】
【０００９】
本発明の電子回路モジュールによれば、半固定可変抵抗器等の調整用電気部品のロータ部を回転調整する際に、カバーの治具挿入孔に挿入した調整用治具の回転方向の可動範囲が該カバーのストッパ部によって規定されるため、調整用治具によって回転駆動されるロータ部の回転角度範囲も該ストッパ部で規定されることになり、ロータ部の回転調整作業を効率良く行うことができる。また、調整用電気部品自体にストッパ機構を設ける必要がなくなるため、調整用電気部品の小型化や低コスト化が図りやすくなる。
【発明を実施するための最良の形態】
【００１０】
発明の実施の形態を図面を参照して説明すると、図１は本発明の実施形態例に係る電子回路モジュールの断面図、図２は該モジュールに組み込まれた半固定可変抵抗器の外観図、図３は該半固定可変抵抗器に対する回転調整作業を説明するための要部平面図である。
【００１１】
図１に示す電子回路モジュールは、回路基板１と、この回路基板１の部品搭載面１ａに実装された各種チップ部品２や半固定可変抵抗器３と、回路基板１の部品搭載面１ａを覆うように取り付けられたカバー４とによって主に構成されている。回路基板１には図示せぬ配線パターンが設けられており、この配線パターンと、チップ抵抗器やチップコンデンサ等の各種チップ部品２と、調整用電気部品である半固定可変抵抗器３とによって所定の回路が形成されている。そして、半固定可変抵抗器３の抵抗値を適宜変化させることによって、この電子回路モジュールの電気特性を調整できるようになっている。
【００１２】
図２に示すように、半固定可変抵抗器３は、電極５や図示せぬ抵抗体パターンが設けられた基台６と、この基台６上に回転可能に支持されているロータ部７とによって主に構成され、ロータ部７に設けられた図示せぬ摺動子が前記抵抗体パターンに摺接している。ロータ部７の天面部には直線状に延びる係合溝７ａが設けられており、この係合溝７ａにはマイナスドライバ等の調整用治具８（図３参照）が係合可能である。そして、係合溝７ａに係合せしめた調整用治具８を回すことによってロータ部７が回転するため、前記抵抗体パターンに対する前記摺動子の接触位置が変化して半固定可変抵抗器３の抵抗値が変化するようになっている。つまり、この半固定可変抵抗器３は、調整用治具８を係合溝７ａに係合させてロータ部７を回転調整することによって、所定の範囲内で抵抗値が適宜選択できるようになっている。なお、この半固定可変抵抗器３は、ストッパ機構を持たずにロータ部７がエンドレスに回転可能な簡素な構造のものである。
【００１３】
カバー４は、下端側が開放した箱状にフォーミングされた金属板からなり、回路基板１に設けられた回路の主要部分を電磁的にシールドするシールドカバーとして機能している。カバー４の天板部には半固定可変抵抗器３と対向する治具挿入孔９が開設されており、この治具挿入孔９内にロータ部７の係合溝７ａが露出している。また、カバー４の天板部の一部がストッパ部１０として治具挿入孔９の周縁から径方向内側へ略三角形状に突出している。図３に示すように、このストッパ部１０は三角形の２辺に相当する直線状の外縁１０ａ，１０ｂを有しており、治具挿入孔９に挿入された調整用治具８を所定の回転位置まで回転させると、該調整用治具８がストッパ部１０の外縁１０ａまたは外縁１０ｂに当接した時点で、調整用治具８のさらなる回転動作が規制されるようになっている。この治具挿入孔９は、外縁１０ａや外縁１０ｂと同等の半径の円形の孔の一部（扇形部分）をストッパ部１０で塞いで生じる残余の開口部分である。そして、この治具挿入孔９に挿入した調整用治具８の回転方向の可動範囲、つまり外縁１０ａに位置規制されている調整用治具８を外縁１０ｂに位置規制される位置（図３の破線位置）まで回転させるのに必要な回転角度は、約９０度に設定されている。したがって、係合溝７ａに係合せしめた調整用治具８によって回転駆動されるロータ部７の回転調整可能な角度範囲も約９０度に設定されている。なお、本実施形態例では、係合溝７ａに係合せしめた調整用治具８を回して外縁１０ａに当接させたときに半固定可変抵抗器３の抵抗値が最小値となり、この調整用治具８を逆向きに回して外縁１０ｂに当接させたときに半固定可変抵抗器３の抵抗値が最大値となるように設計されている。
【００１４】
このように本実施形態例に係る電子回路モジュールは、半固定可変抵抗器３のロータ部７を回転調整する際に、治具挿入孔９に挿入した調整用治具８の回転方向の可動範囲がカバー４のストッパ部１０によって規定されるため、調整用治具８によって回転駆動されるロータ部７も該調整用治具８と同じ角度範囲でしか回せなくなる。したがって、ストッパ機構を持たない簡素な構成の半固定可変抵抗器３を用いているにも拘らず、そのロータ部７の回転角度範囲をカバー４のストッパ部１０で規定することができ、ロータ部７の回転調整作業を効率良く行うことができる。また、半固定可変抵抗器３自体にストッパ機構を設ける必要がないため、半固定可変抵抗器３の小型化や低コスト化が図りやすい。しかも、カバー４のストッパ部１０が治具挿入孔９内へ略三角形状にせり出しているため、治具挿入孔９に挿入した調整用治具８を半固定可変抵抗器３のロータ部７と一体的に大きく（約９０度）回転させることができ、調整幅に余裕のある回転調整が行えると共に、ストッパ部１０の機械的強度が確保しやすくなっている。
【００１５】
なお、上記の実施形態例では、ストッパ機構を持たない半固定可変抵抗器３を使用した場合について説明したが、半固定可変抵抗器３がストッパ機構を有する構造のものであっても良い。その場合、調整用治具８の回転駆動力が該ストッパ機構に及ばないように該調整用治具８の回転角度範囲を設定しておけば、ストッパ機構が調整用治具８によって破壊される虞がなくなる。なお、かかる調整用治具８の回転角度範囲の設定は、ストッパ部１０の形状や形成位置を適宜選択することによって容易に変更可能である。
【００１６】
また、上記の実施形態例では、調整用電気部品として半固定可変抵抗器３を用いた場合について説明したが、調整用電気部品がトリマコンデンサ等の他の電気部品であっても本発明は適用可能である。例えば、調整用電気部品がトリマコンデンサである場合には、治具挿入孔９に挿入した調整用治具８をトリマコンデンサのロータ部に係合させて回転させることによって、該トリマコンデンサの容量値を変化させることができるため、この容量値に応じて電子回路モジュールの電気特性を調整することができる。
【図面の簡単な説明】
【００１７】
【図１】本発明の実施形態例に係る電子回路モジュールの断面図である。
【図２】該モジュールに組み込まれた半固定可変抵抗器の外観図である。
【図３】該半固定可変抵抗器に対する回転調整作業を説明するための要部平面図である。
【符号の説明】
【００１８】
１  回路基板
１ａ  部品搭載面
２  チップ部品
３  半固定可変抵抗器（調整用電気部品）
４  カバー
５  電極
６  基台
７  ロータ部
７ａ  係合溝（係合部）
８  調整用治具
９  治具挿入孔
１０  ストッパ部
【図１】
2009135135.tif 000003
【図２】
2009135135.tif 000004
【図３】
2009135135.tif 000005